(57)【要約】【課題】本発明は、潤滑剤を大量に使用することなく摺動性を長期間保証することができるレンズ移動枠及びレンズ装置を提供する。【解決手段】本発明のレンズ移動枠３４は、そのホルダ部３８のガイド孔４６、４８が形成された壁部５０に近接してガイドバー３０が挿通される隔壁５２が設けられ、この隔壁５２と壁部５０との間に、潤滑剤が充填されて溜められる潤滑剤溜め部５４が形成されている。潤滑剤溜め部５４に溜められた潤滑剤は、隔壁５２と壁部５０との間にあるガイドバー３０に付着する。そして、ガイドバー３０に沿ってレンズ移動枠３４が移動すると、余分な潤滑剤はガイド孔４６、４８及び隔壁５２の開放部によって削ぎ落とされて潤滑剤溜め部５４に保持される。そして、レンズ移動枠３４の円滑移動に必要な分の潤滑剤がガイドバー３０に付着し、これによって、レンズ移動枠３４がガイドバー３０に沿って円滑に移動する。【選択図】  図３
2010072543.tif 000002
【特許請求の範囲】
【請求項１】
レンズが保持される保持部とガイドバーが挿通されるガイド孔とが形成され、前記ガイドバーに沿って撮影光軸方向に移動自在に支持されるレンズ移動枠において、
前記ガイド孔が形成された壁部に近接してガイドバーが挿通される隔壁が設けられ、該隔壁と前記壁部との間には潤滑剤溜め部が形成され、該潤滑剤溜め部に潤滑剤が溜められることを特徴とするレンズ移動枠。
【請求項２】
前記隔壁は、前記レンズ移動枠と一体に、又は別体に設けられる請求項１に記載のレンズ移動枠。
【請求項３】
前記隔壁は断面Ｕ字形状に形成され、Ｕ字状に形成された隔壁の凹部に前記ガイドバーが挿通される請求項１、又は２に記載のレンズ移動枠。
【請求項４】
前記隔壁は開口部を有する板状に形成され、板状の隔壁の前記開口部に前記ガイドバーが挿通される請求項１、又は２に記載のレンズ移動枠。
【請求項５】
請求項１〜４のいずれかに記載のレンズ移動枠が取り付けられたことを特徴とするレンズ装置。
【発明の詳細な説明】
【技術分野】
【０００１】
本発明はレンズ移動枠及びレンズ装置に係り、特にレンズが保持される保持部とガイドバーが挿通されるガイド孔とが形成され、ガイドバーに沿って撮影光軸方向に移動自在に支持されたレンズ移動枠及びレンズ装置に関する。
【背景技術】
【０００２】
特許文献１のレンズ鏡筒には、レンズが保持される保持部とガイドバーが挿通されるガイド孔とが形成され、ガイドバーに沿って撮影光軸方向に移動自在に支持されたレンズ移動枠が開示されている。
【０００３】
また、特許文献１では、レンズ移動枠をガイドバーに対して滑らかに移動させるために、ガイドバーに潤滑剤を予め塗布することが記載されている。更にまた、断面円形のガイドバーを最初のガイド孔（主鏡筒のガイド孔）に嵌合挿入する際に、ガイドバーに塗布した潤滑剤がガイド孔によって削がれるのを防止するため、ガイド孔の形状を工夫した内容が記載されている。このガイド孔の形状は、ガイドバーを水平及び垂直で支持するように、例えば四角形状に形成されている。したがって、断面円形のガイドバーと四角形状のガイド孔との間には隙間が形成され、ガイドバーに塗布された大部分の潤滑剤は、この隙間を通過して挿入されるため、このままレンズ移動枠に到達し、レンズ移動枠との間で潤滑作用を発揮できるというものである。
【特許文献１】特開２００３−３４４７４６号公報
【発明の開示】
【発明が解決しようとする課題】
【０００４】
特許文献１のレンズ鏡筒は、ガイド孔の形状を工夫することにより、ガイドバーに塗布した潤滑剤がガイド孔によって削がれるのを防止するものなので、ガイドバーとガイド孔との潤滑性は、ガイドバーに塗布された潤滑剤の塗布量に依存する。これにより、引用文献１のレンズ鏡筒は、長期間の使用により潤滑性が低下することは否めず、よって、レンズ移動枠の摺動性を長期間保証することができないという欠点があった。
【０００５】
なお、ガイドバーに塗布する潤滑剤の塗布量を多めにすれば上記欠点は改善されるが、潤滑剤の大量塗布によってコストアップとなり、また、潤滑剤がガイドバーから飛散し易くなるので、その飛散した潤滑剤が他の部品に付着し、他の部品に不具合を発生させるというおそれがあった。
【０００６】
本発明はこのような事情に鑑みてなされたもので、潤滑剤を大量に使用することなく摺動性を長期間保証することができるレンズ移動枠及びレンズ装置を提供することを目的とする。
【課題を解決するための手段】
【０００７】
本発明は、前記目的を達成するために、レンズが保持される保持部とガイドバーが挿通されるガイド孔とが形成され、前記ガイドバーに沿って撮影光軸方向に移動自在に支持されるレンズ移動枠において、前記ガイド孔が形成された壁部に近接してガイドバーが挿通される隔壁が設けられ、該隔壁と前記壁部との間には潤滑剤溜め部が形成され、該潤滑剤溜め部に潤滑剤が溜められることを特徴とするレンズ移動枠を提供する。
【０００８】
本発明のレンズ移動枠によれば、ガイド孔が形成された壁部に近接してガイドバーが挿通される隔壁を設け、この隔壁と壁部との間に潤滑剤溜め部をポケット状に形成し、この潤滑剤溜め部に潤滑剤を溜める。潤滑剤溜め部に溜められた潤滑剤は、隔壁と壁部との間にあるガイドバーに付着し、ガイドバーに沿ってレンズ移動枠が移動すると、余分な潤滑剤はガイド孔及び隔壁の開放部によって削ぎ落とされて潤滑剤溜め部に保持される。そして、レンズ移動枠の円滑移動に必要な分の潤滑剤がガイドバーに付着し、これによって、レンズ移動枠がガイドバーに沿って円滑に移動する。このように、レンズ移動枠に潤滑剤溜め部を形成することによって、潤滑剤を有効に使用でき、潤滑剤の使用量を節約できる。
【０００９】
以上の如く、本発明のレンズ移動枠は、潤滑剤溜め部に溜められた潤滑剤量に潤滑維持性が依存されるため、ガイドバーに潤滑剤を単に塗布した特許文献１のレンズ移動枠と比較して、レンズ移動枠の摺動性を長期間保証することができ、また、潤滑剤溜め部に溜める潤滑剤量も適量で済むのでコストアップとならず、潤滑剤飛散も発生しない。したがって、本発明のレンズ移動枠によれば、潤滑剤を大量に使用することなく摺動性を長期間保証することができる。
【００１０】
本発明によれば、前記隔壁は、前記レンズ移動枠と一体に、又は別体に設けられることが好ましい。樹脂で一体成形できるのであれば隔壁をレンズ移動枠と一体形成することが製造コストを削減できる観点から好ましい。また、隔壁をレンズ移動枠と別体に設けてもよい。
【００１１】
本発明によれば、前記隔壁は断面Ｕ字形状に形成され、Ｕ字状に形成された隔壁の凹部に前記ガイドバーが挿通されることが好ましい。隔壁を断面略Ｕ字形状に形成し、このＵ字状の隔壁の凹部、すなわち、開放部にガイドバーを挿通させることが好ましい。
【００１２】
本発明によれば、前記隔壁は開口部を有する板状に形成され、板状の隔壁の前記開口部に前記ガイドバーが挿通されることが好ましい。隔壁を、開口部を有する板状に形成し、板状の隔壁の開口部、すなわち、開放部にガイドバーを挿通させることが好ましい。
【００１３】
本発明は、前記目的を達成するために、請求項１〜４のいずれかに記載のレンズ移動枠が取り付けられたことを特徴とするレンズ装置を提供する。
【００１４】
本発明のレンズ装置によれば、潤滑剤を大量に使用することなくレンズ移動枠の摺動性を長期間保証することができる。
【発明の効果】
【００１５】
本発明に係るレンズ移動枠及びレンズ装置によれば、ガイド孔が形成された壁部に近接してガイドバーが挿通される隔壁を設け、この隔壁と壁部との間に潤滑剤溜め部をポケット状に形成し、この潤滑剤溜め部に潤滑剤を溜めるようにしたので、潤滑剤を大量に使用することなく摺動性を長期間保証することができる。
【発明を実施するための最良の形態】
【００１６】
以下添付図面に従って、本発明に係るレンズ移動枠の好ましい実施の形態について詳説する。
【００１７】
図１には、実施の形態に係るレンズ移動枠が取り付けられたレンズ装置１０の側断面図が示されている。このレンズ装置１０は、撮影光軸前方側（被写体側）から撮影光軸後方（撮像側）に向って第１レンズ群１２、第２レンズ群１４、第３レンズ群１６、及び第４レンズ群１８が配置されており、これらの第１〜第４レンズ群１２〜１８を通過した被写体光は、色分解光学系を構成する色分解プリズム２０を介して色分解プリズム２０のＲ、Ｇ、Ｂの各出射端に設けられた撮像素子２２、２４、２６に結像される。なお、このレンズ装置１０が装備されるカメラ本体（不図示）には、撮像素子２２、２４、２６から得られた撮像信号に所要の処理（ホワイトバランス、γ補正等）を施して所定形式の映像信号を生成する信号処理回路（不図示）等が搭載されている。
【００１８】
第１レンズ群１２はいわゆる固定の前玉レンズであり、第２レンズ群１４は焦点距離を変更するバリエータレンズである。また、第３レンズ群１６は固定のリレーレンズであり、第４レンズ群１８は焦点を調整するフォーカスレンズである。これらの第１〜第４レンズ群１２〜１８は、レンズ鏡胴本体１１内に保持されている。
【００１９】
レンズ鏡胴本体１１内には、図２に示すように光軸Ａｘと平行な一対のガイドバー２８、３０が挿通配置されている。ガイドバー２８は、その前端部２８Ａがレンズ鏡胴本体１１の前面に形成されたフランジ部１１Ａに固定され、その後端部２８Ｂがレンズ鏡胴本体１１の後面に形成されたフランジ部１１Ｂに固定されている。また、ガイドバー３０も同様に、その前端部３０Ａが前記フランジ部１１Ａに固定され、その後端部３０Ｂが前記フランジ部１１Ｂに固定されている。これらのガイドバー２８、３０に第２レンズ群１４のレンズ移動枠（実施の形態のレンズ移動枠）３２、及び第４レンズ群１８のレンズ移動枠（実施の形態のレンズ移動枠）３４がそれぞれ摺動自在に支持される。レンズ移動枠３２、３４については後述する。
【００２０】
レンズ移動枠３２には、ねじ送り装置を構成するナット（不図示）が設けられ、このナットに、同じくねじ送り装置を構成する送りねじ（不図示）が螺合連結されている。この送りねじは、光軸Ａｘと平行に配設されるとともに、その端部がズーム用ステッピングモータ（不図示）の出力軸に連結されている。ズーム用ステッピングモータのズームドライバ回路（不図示）にカメラ本体側からズーム信号が出力されると、ズーム用ステッピングモータはその信号に対応した方向に送りねじを回転駆動する。これによって、レンズ枠３２がガイドバー２８、３０に沿って光軸方向に前後移動され、所望の焦点距離に調整される。
【００２１】
レンズ移動枠３４にも同様に、ねじ送り装置を構成するナット（不図示）が設けられ、このナットに、同じくねじ送り装置を構成する送りねじ（不図示）が螺合連結されている。この送りねじは、光軸と平行に配設されるとともに、その端部がフォーカス用ステッピングモータ（不図示）の出力軸に連結されている。フォーカス用ステッピングモータのフォーカスドライバ回路（不図示）にカメラ本体側からフォーカス信号が出力されると、フォーカス用ステッピングモータはその信号に対応した方向に送りねじを回転駆動する。これによって、レンズ移動枠３４がガイドバー２８、３０に沿って光軸方向に前後移動され、焦点が合わされる。
【００２２】
一方、リレーレンズである第３レンズ群１６は、レンズ鏡胴本体１１に固定されている。すなわち、第３レンズ群１６はレンズ保持枠３５に保持され、このレンズ保持枠３５がレンズ鏡胴本体１１に嵌合されて固定されている。
【００２３】
図３には、ガイドバー２８、３０に沿って撮影光軸Ａｘ方向に移動自在に支持された第４レンズ群（ここでは便宜上、フォーカスレンズと称する）１８を保持するレンズ移動枠３４が示されている。このレンズ移動枠３４は、遮光性を有する黒色の樹脂材料からなる樹脂成型品であり、射出成型等によって製作されている。なお、図２に示したレンズ移動枠３２の構成は、レンズ移動枠３４の構成と略同一なので、ここではレンズ移動枠３４について説明し、レンズ移動枠３２について省略する。
【００２４】
図３に示すようにレンズ移動枠３４は、レンズ１８を保持するリング状の保持部３６、ガイドバー３０に係合するホルダ部３８、及びガイドバー２８に係合する突出部４０が一体に形成されている。この突出部４０には溝４２が形成され、この溝４２内にガイドバー２８が挿通されている。
【００２５】
レンズ移動枠３４のホルダ部３８は、撮影光軸Ａｘ方向に沿った平面視矩形の空隙部４４を有し、その前端部にはガイド孔４６が形成され、その後端部にもガイド孔４８が形成されている。これらのガイド孔４６、４８にガイドバー３０が挿入されるため、これらのガイド孔４６、４８の中心軸は合致するように、また、合致した中心軸は撮影光軸Ａｘと平行になるように形成されている。
【００２６】
そして、ホルダ部３８は図４に示すように、ガイド孔４６、４８が形成された壁部５０（ガイド孔４８の壁部は不図示）に近接してガイドバー３０が挿通される隔壁５２が設けられ、この隔壁５２と壁部５０との間に、潤滑剤が充填されて溜められる潤滑剤溜め部５４が形成されている。
【００２７】
以下、実施の形態のレンズ移動枠３４の特徴について述べる。
【００２８】
実施の形態のレンズ移動枠３４によれば、前述した潤滑剤溜め部５４に溜められた潤滑剤は、隔壁５２と壁部５０との間にあるガイドバー３０に付着する。そして、ガイドバー３０に沿ってレンズ移動枠３４が移動すると、余分な潤滑剤はガイド孔４６、４８及び隔壁５２の開放部によって削ぎ落とされて潤滑剤溜め部５４に保持される。そして、レンズ移動枠３４の円滑移動に必要な分の潤滑剤がガイドバー３０に付着し、これによって、レンズ移動枠３４がガイドバー３０に沿って円滑に移動する。このように、レンズ移動枠３４に潤滑剤溜め部５４を形成することによって、潤滑剤を有効に使用でき、潤滑剤の使用量を節約できる。
【００２９】
以上の説明したように、実施の形態のレンズ移動枠３４は、潤滑剤溜め部５４に溜められた潤滑剤量に潤滑維持性が依存されるため、ガイドバー３０に潤滑剤を単に塗布した特許文献１のレンズ移動枠と比較して、レンズ移動枠３４の摺動性を長期間保証することができ、また、潤滑剤溜め部５４に溜める潤滑剤量も適量で済むのでコストアップとならず、潤滑剤飛散も発生しない。
【００３０】
したがって、レンズ移動枠３４によれば、潤滑剤を大量に使用することなく摺動性を長期間保証することができる。なお、レンズ移動枠３４は、ガイド孔４６、４８とこのガイド孔４６、４８に嵌合されるガイドバー３０とによって位置精度が保証されているため、隔壁５２の開放部とガイドバー３０とを接触させることは、前記位置精度を悪化させるおそれがあるため好ましくない。よって、隔壁５２の開放部とガイドバー３０とは若干量隙間を持たせることが好ましい。
【００３１】
また、隔壁５２は、ホルダ部３８と一体に形成してもよく、別体に設けてもよい。樹脂で一体成形できるのであれば、隔壁５２をホルダ部３８と一体形成することが製造コストを削減できる観点から好ましい。また、隔壁５２をホルダ部３８と別体とする場合には、別体の隔壁５２をホルダ部３８の空隙部４４に嵌入する構造とすることが組立性の観点から好ましい。
【００３２】
更に、隔壁５２は図５に示すように、断面Ｕ字形状に形成され（図５は断面図ではないが、縦断面であると断面がＵ字状となる）、Ｕ字状に形成された隔壁５２の凹部５２Ａにガイドバー３０が挿通されることが好ましい。
【００３３】
なお、隔壁５２の形状は図５に示した断面Ｕ字形状に限定されるものではなく、例えば図６に示すように、隔壁５３を、開口部５３Ａを有する板状に形成し、板状の隔壁５３の開口部５３Ａにガイドバー３０を挿通させることもできる。
【００３４】
以上がレンズ移動枠３４の特徴であるが、レンズ移動枠３２についても同様である。
【００３５】
すなわち、図２のレンズ移動枠３２において、符号５２が隔壁であり、符号５４が潤滑剤溜め部である。また、このレンズ移動枠３２は、ガイドバー２８によって移動自在に支持されている。
【００３６】
なお、実施例に記載した潤滑剤としては、粘度の高いグリスを採用することが好ましい。
【図面の簡単な説明】
【００３７】
【図１】実施の形態のレンズ移動枠が取り付けられたレンズ装置の断面図
【図２】図１に示したレンズ装置の構成を示した断面図
【図３】実施の形態のレンズ移動枠を示した斜視図
【図４】図３に示したレンズ移動枠の要部構造を示した断面斜視図
【図５】図３に示したレンズ移動枠の要部構造を示した断面図
【図６】レンズ移動枠の他の実施の形態の要部構造を示した断面図
【符号の説明】
【００３８】
１０…レンズ装置、１１…レンズ鏡胴本体、１２…第１レンズ群、１４…第２レンズ群、１６…第３レンズ群、１８…第４レンズ群、２０…色分解プリズム、２２、２４、２６…撮像素子、２８、３０…ガイドバー、３２…レンズ移動枠、３４…レンズ移動枠、３５…レンズ保持枠、３６…保持部、３８…ホルダ部、４０…突出部、４２…溝、４４…空隙部、４６…ガイド孔、４８…ガイド孔、５０…壁部、５２…隔壁、５４…潤滑剤溜め部、５６…
【図１】
2010072543.tif 000003
【図２】
2010072543.tif 000004
【図３】
2010072543.tif 000005
【図４】
2010072543.tif 000006
【図５】
2010072543.tif 000007
【図６】
2010072543.tif 000008